(57)【要約】【課題】利用者に無用の気づかいをさせることなく、セッティングや点灯作業に手間がかからず安全なセレモニー用発光具および発光具セットが求められている。【解決手段】セレモニー用発光具１は、透光性を有する密閉容器２内に、通電により発光する発光体６と、発光体６に電力を供給する電池８とを備えた電気回路９が収容されるとともに、電気回路９を断続するための一対のスイッチ端子１０，１１が密閉容器２の底蓋体１３を貫通し器外に露出して設けられ、一対のスイッチ端子１０，１１の導電性液体への浸漬により発光体６が通電されるようになっている。発光体６は例えば発光ダイオードで構成されている。【選択図】　　　図２
0003098829.tif 000002
【実用新案登録請求の範囲】
【請求項１】
透光性を有する密閉容器内に、通電により発光する発光体と、発光体に電力を供給する電池とを備えた電気回路が収容されるとともに、電気回路を断続するための一対のスイッチ端子が密閉容器を貫通し器外に露出して設けられ、一対のスイッチ端子の導電性液体への浸漬により発光体が通電されることを特徴とするセレモニー用発光具。
【請求項２】
発光体が発光ダイオードである請求項１に記載のセレモニー用発光具。
【請求項３】
密閉容器を導電性液体上に浮かす浮力構造を備えている請求項１または請求項２に記載のセレモニー用発光具。
【請求項４】
請求項１から請求項３のいずれか一項に記載のセレモニー用発光具と、該セレモニー用発光具と導電性液体を収受する液体受器とから成ることを特徴とする発光具セット。
【請求項５】
液体受器が、シャンペンタワーを構成するシャンペングラスである請求項４に記載の発光具セット。
【請求項６】
液体受器が、葬儀用の花器である請求項４に記載の発光具セット。
【考案の詳細な説明】
【０００１】
【考案の属する技術分野】
本考案は、例えば結婚式、結婚披露宴、葬儀、各種パーティ、講演会などのセレモニーにおいて、光による演出に使用されるセレモニー用発光具および発光具セットに関するものである。
【０００２】
【従来の技術】
一般に、結婚披露宴における光による演出としては、ロウソクを用いたキャンドルサービスが知られている。かかるロウソクのキャンドルサービスは、光の色が炎一色であるために光のカラーコーディネートが困難であること、実燃焼中の炎であるから燃え移らないよう取扱いに注意を要することなどの難点があり、代替のサービスシステムが望まれていた。
【０００３】
そこで、酸化液と混ぜて発光状態にした化学発光液（例えば、フタル酸ジブチルオキサラート、蛍光顔料、フタル酸ジメチル−ｔ−ブタノール、過酸化水素などの混合物）を列席者のグラスに注ぎ、グラス内で発光を続けるようにしたキャンドルサービスシステムが提案され、下記の特許文献１に開示されている。このキャンドルサービスシステムは、化学発光液の種類を替えることにより複数色から色の選択が可能であり、色鮮やかな光が得られることで知られている。
【０００４】
【特許文献１】
特開平１０−１７２３０１号公報
【０００５】
【考案が解決しようとする課題】
ところで、めでたい結婚披露宴ではほとんどの列席者にアルコールが入っている。そのため、上記したような化学発光液を用いたキャンドルサービスシステムの場合、列席者が誤って或いはふざけて化学発光液を口に含んだり飲み込んだりするおそれや、グラスから化学発光液をこぼすおそれがある。化学発光液を口に入れた場合は体に害を及ぼす。新郎新婦の衣装、列席者の衣服、会場のテーブルクロスや絨毯などに化学発光液をこぼした場合は、これらの繊維との間で化学反応を引き起こして強固に付着し完全には除去できない。また、化学発光液はＡＢＳ樹脂その他の合成樹脂を溶解させる性質も有しているので、カメラやビデオカメラのケーシングなどに付着したまま気づかずにいると、高価なカメラケーシングが例えば１週間程度で溶けて穴が開くことがある。そのため、最悪の場合、記念の思い出を収録したフィルムやテープが台無しになることがあった。
【０００６】
本考案は、上記した従来の問題点に鑑みてなされたものであって、利用者に無用の気づかいをさせることなく、セッティングや点灯作業に手間がかからず安全なセレモニー用発光具および発光具セットの提供を目的とする。
【０００７】
【課題を解決するための手段】
上記目的を達成するために、本考案に係るセレモニー用発光具は、透光性を有する密閉容器内に、通電により発光する発光体と、発光体に電力を供給する電池とを備えた電気回路が収容されるとともに、電気回路を断続するための一対のスイッチ端子が密閉容器を貫通し器外に露出して設けられ、一対のスイッチ端子の導電性液体への浸漬により発光体が通電される構成にしてある。
【０００８】
また、前記構成における発光体として、発光ダイオードを用いたものである。
【０００９】
そして、前記の各構成において、密閉容器を導電性液体上に浮かす浮力構造を備えているものである。
【００１０】
更に、本考案に係る発光具セットは、前記した各セレモニー用発光具と、該セレモニー用発光具と導電性液体を収受する液体受器とから成るものである。
【００１１】
また、前記の発光具セットにおける液体受器として、シャンペンタワーを構成するシャンペングラスを用いたものである。
【００１２】
そして、前記の発光具セットにおける液体受器として、葬儀用の花器を用いたものである。
【００１３】
【考案の実施の形態】
本考案の実施の形態を図面に基づいて説明する。尚、以下に述べる実施形態は本考案を具体化した一例に過ぎず、本考案の技術的範囲を限定するものでない。ここに、図１は本考案の一実施形態に係るセレモニー用発光具の外観図、図２は前記セレモニー用発光具の縦断面図である。
各図において、この実施形態に係るセレモニー用発光具１は、その外殻が透光性を有する密閉容器２で構成されている。この密閉容器２は外観が略矩形ブロック形状に形成されて成り、透明合成樹脂製で下面開口を有する中空状の容器本体２Ａと、容器本体２Ａの下面開口を封止する底蓋体１３とから構成されている。
【００１４】
容器本体２Ａは、中空部分が隔壁２Ｂにより上下途中で区画されており、隔壁２Ｂの上方が空間部３となっている。この空間部３の内容積はセレモニー用発光具１が水（導電性液体）に浮かない容量に設定されている。隔壁２Ｂの下方は後述の電気回路９を収容する収容部４となっている。隔壁２Ｂの平面視中央部分には、発光体６を保持する取付穴５が形成されている。容器本体２Ａの内外面にはクリスタル調の凹凸が形成されている。尚、容器本体２Ａや底蓋体１３は半透明の材料を用いて形成しても構わない。
【００１５】
電気回路９は、スイッチ端子１１、電池８、電流制限抵抗７、発光体６、およびスイッチ端子１０が導線や基板回路（図示省略）を介して接続されたものである。電池８は端子押さえ板１２上に固設されたホルダ１６で保持され、発光体６は隔壁２Ｂの取付穴５に保持されている。スイッチ端子１０とスイッチ端子１１は底蓋体１３の左右両端部に形成された貫通穴１４，１５にそれぞれ挿通され、底蓋体１３の上面に接着される端子押さえ板１２で被われて固定されている。スイッチ端子１０とスイッチ端子１１の先端はそれぞれ底蓋体１３を貫通し底蓋体１３の下面から器外に露出している。これらのスイッチ端子１０とスイッチ端子１１は電気回路９を断続するために用いられる。そうして、底蓋体１３は接着剤で容器本体２Ａの下面開口に封着される。これにより、密閉容器２内に水などを浸入させないようになっている。
【００１６】
発光体６は、例えば通電により発光する発光ダイオード（略称ＬＥＤ）で構成されている。発光体６に電力を供給する電池８は、例えばリチウム１次のボタン電池で構成され、平均出力電圧が約３ボルト（２００ｍＡｈ）である。発光体６と電池８の間に配備される電流制限抵抗７は、発光体６の種類により使用すべき抵抗値が異なる。例えば、発光体６が青色ＬＥＤまたは緑色ＬＥＤの場合は２００オーム前後のものが使用され、赤色ＬＥＤまたはオレンジ色ＬＥＤの場合は１５０オーム前後のものが使用される。尚、本考案の発光体としては上記のＬＥＤに限らず、豆電球などを使用することも可能である。また、本考案の電池はリチウム１次電池に限らず、リチウム２次電池、マンガン電池、ニッケル水素電池、ニッカド電池などを使用することが可能である。
【００１７】
上記のように構成されたセレモニー用発光具１においては、皿（液体受器）などに貯留した水に浸したり、或いはセレモニー用発光具１を収容した液体受器に水を注入することにより、一対のスイッチ端子１０，１１の双方を水に浸漬させる。すると、水の介在によりスイッチ端子１０，１１間が導通し、電池８の電力が発光体６に供給されて発光体６が発光する。この場合、発光体６のＬＥＤ種により、パステル調で美しく光量の多い、青色光、緑色光、赤色光、オレンジ色光、またはピンク色光が発せられる。発光体６から発せられた光は密閉容器２を透過するが、その際に容器本体２Ａの凹凸で微妙に屈折しあたかもクリスタル様に散乱して外部に放たれる。点灯開始から消灯までの累積点灯時間はＬＥＤ種で異なるが、電流制限抵抗７の抵抗値をＬＥＤごとに調整したことにより、概ね１０〜１４時間に設定されており実用上支障を生じないようになっている。
【００１８】
そこで、このセレモニー用発光具１は、図３に示すように、水Ｗを収受するパーティグラス（液体受器）１７と組み合わせた発光具セット１８として取り扱うと都合がよい。パーティグラス１７はセレモニー用発光具１が通過可能な上面開口を有している。この発光具セット１８では、予めパーティグラス１７に適量の水Ｗを入れておき、そこにセレモニー用発光具１を投入する。すると、発光体６が発光しながら沈んでいく。そして、発光体６（図３中に一点鎖線で示す）はパーティグラス１７の底で光り続けるのである。尚、パーティグラス１７も透明ないしは半透明の材料で構成しておくと、発光体６からの光がパーティグラス１７を透過する際に散乱して荘厳な趣が醸し出される。
【００１９】
かかる発光具セット１８は、結婚披露宴におけるキャンドルサービスに使用することができる。すなわち、セレモニー用発光具１を収容したパーティグラス１７を列席者のテーブル上に置き、会場がライトダウンされた状態で、新郎新婦が水差しを持ちテーブルを回ってパーティグラス１７に水を注ぐのである。これにより、パーティグラス１７内のセレモニー用発光具１が発光する。このように薄暗い会場でセレモニー用発光具１から発せられたＬＥＤ光は装飾効果が格段と高まり、会場を幻想的な雰囲気にする。
【００２０】
そして、図３中に２点鎖線で示したセレモニー用発光具１ａも本考案に含まれる。このセレモニー用発光具１ａは、自身を水Ｗ上に浮かすことのできる内容積の空間部３ａを密閉容器２内に備えている。かかる内容積の空間部３ａが本考案にいうところの浮力構造である。
このセレモニー用発光具１ａは上記のような空間部３ａを備えているので、パーティグラス１７内の水Ｗ中に投入されると、発光体６が点灯しセレモニー用発光具１ａが水面に浮く。従って、ゆらゆらと発光体６の光が揺れ、あたかも点火されたロウソク製のキャンドルが浮いているかのような印象を与える。
尚、本考案における他の浮力構造としては、密閉容器２を水Ｗ上に浮かすことのできる量の発泡材が挙げられる。また、かかる浮力構造の配備位置は密閉容器２の内外いずれでも構わない。
【００２１】
次に、図４に、シャンパングラス（液体受器）１９とセレモニー用発光具１とを組み合わせた発光具セットの例を示す。ここでは、多数の発光具セットが使用され、各シャンペングラス１９には予めセレモニー用発光具１がそれぞれ収容されている。そこで、上段になるほどグラス数を減らしてシャンペングラス１９を積み上げることにより、いわゆるシャンペンタワー２０が構築される。
このシャンペンタワー２０では、最上段のシャンペングラス１９に、水差し２１の水Ｗが注がれる。すると、そのシャンペングラス１９のセレモニー用発光具１が点灯する。そして、そのシャンペングラス１９に満たされた水Ｗはグラスの縁から矢印２２のように溢れ出し、更にグラス柄部から台部へと伝って下段のシャンペングラス１９、１９に収受され、その中のセレモニー用発光具１，１を点灯させる。このような動作が次なる下段へと順次続いていくのである。
【００２２】
かかるシャンペンタワー２０によれば、上段から下段へと順次セレモニー用発光具１が点灯されていき、かつ、点灯数が増加していくといった光の演出ができる。因みに、段ごとや縦列ごとに色の違うＬＥＤを使用するとか、千鳥状に違う色のＬＥＤを配置すると、豊富なカラーコーディネートを演出できる。
一方で、セレモニー用発光具１を入れてないシャンペングラス１９でシャンペンタワー２０を構築するとともに、すべてのシャンペングラス１９に水Ｗを張っておき、列席者からシャンペングラス１９にセレモニー用発光具１を一つずつ入れてもらうといった演出も可能である。
【００２３】
続いて、図５に、有底角筒状の溢流容器（液体受器）２７とセレモニー用発光具１とを組み合わせた発光具セットの例を示す。ここでも、多数の発光具セットが使用され、各溢流容器２７には予めセレモニー用発光具１がそれぞれ収容されている。図中、左列になるほど、立方体状の容器台ユニット２６の積み上げ数がひとつずつ増やされており、それぞれの列の頂部に、それぞれ溢流容器２７が設置されることにより、滝演出具２５が構築されている。溢流容器２７は上面が開口した立方体状に形成されていて、上部に溢出口２８が設けられている。それぞれの溢流容器２７は最上位のものから順に符号２７ａ，２７ｂ，２７ｃ，２７ｄ，２７ｅ，２７ｆを付して区別してある。
【００２４】
この滝演出具２５では、最上位の溢流容器２７ａに注液管２９から水Ｗが注がれる。すると、溢流容器２７ａのセレモニー用発光具１が点灯する。そして、溢流容器２７ａに満たされた水Ｗは溢出口２８から溢れ出し、隣接する一つ下の溢流容器２７ｂに収受されて溢流容器２７ｂのセレモニー用発光具１を点灯させる。このような動作が以降の溢流容器２７ｃ〜２７ｆにおいて続くのである。この滝演出具２５も、上段から下段へと、セレモニー用発光具１が順次点灯していく。すなわち、前記したシャンペンタワーと同様の作用、効果を奏する。尚、溢流容器２７の形状は有底角筒状に限らず、有底円筒状などでも構わない。
【００２５】
これまでは、結婚披露宴やパーティ向けの発光具セットを例示したが、図６に示すような、葬儀用の花器（液体容器）３０とセレモニー用発光具１とを組み合わせた発光具セットも本考案に含まれる。この花器３０はセレモニー用発光具１を通過可能な上面開口を有し、例えば半透明の硬質プラスチックやガラスで構成されている。花器３０内には供花Ｓを支持する受網３１が設置されている。そして、セレモニー用発光具１が受網３１下方の底部に置かれている。この花器３０に用いるセレモニー用発光具１の発光体６はセレモニーの性質上から青色ＬＥＤまたは緑色ＬＥＤが望ましい。このように構成された発光具セットによれば、発光体６の光が水Ｗおよび花器３０を透過して放出され周囲に荘厳な雰囲気を醸し出す。
【００２６】
他方で、葬儀に関しては、斎場に設けられた滝モニュメントの滝壷（いずれも図示省略）内にセレモニー用発光具１を設置し、葬儀の進行途中で滝に水を流してセレモニー用発光具１を発光させるといった演出も可能である。
【００２７】
尚、上記した各実施形態では、外観が略矩形ブロック形状に形成されたセレモニー用発光具１，１ａを例示したが、本考案のセレモニー用発光具の外観はそれに限定されるものでない。例えば、側面から見てドーム形やピラミッド形など、平面に見てハート形、星形、円形、リング形、六角形、その他の形に形成しても構わない。
また、本考案の導電性液体としては水だけに限るものでなく、例えば導電性を損なわせない量のアルコールを含む水、電解質を含む飲料などが挙げられる。更には、ゼリー、寒天、プリンなどの表面に滲み出た滲出液も本考案の導電性液体に含まれる。従って、ゼリー、寒天、プリンなどの上にセレモニー用発光具を置くようにしても面白い。
【００２８】
【考案の効果】
以上詳述したように、本考案に係るセレモニー用発光具によれば、密閉容器から器外に露出した一対のスイッチ端子を導電性液体に浸漬させると発光体が通電されて発光するようになっているので、利用者に無用の気づかいをさせることがなく、器具のセッティングや発光させる際の作業に手間がかからず、しかも安全で無害である。
【００２９】
また、発光体として発光ダイオードを採用した場合は、発光ダイオードから趣深くて美しく光量の多い光が発せられる。また、発光ダイオードの種類を選択することにより、所望の色の光を発することができる。
【００３０】
そして、密閉容器を導電性液体上に浮かす浮力構造を備えている場合は、導電性液体上でセレモニー用発光具が揺れて、あたかも点火されたロウソク製のキャンドルが浮いているかのような印象を与えることができる。
【００３１】
更に、本考案のセレモニー用の発光具セットであれば、セレモニー用発光具と液体容器を相互に数合わせする必要がなく、数合わせの手間が半減する。また、セット商品であるから取引や取扱いが容易になる。一方で、本考案の発光具セットは種々の使用態様で使用される。例えば、シャンペングラスを液体容器とした発光具セットを用いると、シャンペンタワーを構築することができる。また、花器を液体容器とした発光具セットであれば、葬儀に好適に用いることができる。
【図面の簡単な説明】
【図１】本考案の一実施形態に係るセレモニー用発光具の外観図である。
【図２】前記セレモニー用発光具の縦断面図である。
【図３】前記セレモニー用発光具とパーティグラスのセットを示す一部断面を含む正面図である。
【図４】前記セレモニー用発光具を備えたシャンペンタワーを示す一部断面を含む正面図である。
【図５】前記セレモニー用発光具を備えた滝演出具を示す一部断面を含む正面図である。
【図６】前記セレモニー用発光具と葬儀用の花器を示す一部断面を含む正面図である。
【符号の説明】
１，１ａ　セレモニー用発光具
２　　密閉容器
２Ａ　容器本体
３，３ａ　空間部
６　　発光体
８　　電池
９　　電気回路
１０，１１　スイッチ端子
１３　底蓋体
１４，１５　貫通穴
１７　パーティグラス（液体受器）
１８　発光具セット
１９　シャンペングラス（液体受器）
２０　シャンペンタワー
２７ａ〜２７ｆ　溢流容器（液体受器）
３０　花器（液体受器）
Ｗ　　水（導電性液体）
【図１】
0003098829.tif 000003
【図２】
0003098829.tif 000004
【図３】
0003098829.tif 000005
【図４】
0003098829.tif 000006
【図５】
0003098829.tif 000007
【図６】
0003098829.tif 000008